(57)【要約】【課題】顆粒固体弾性体を足底に対応した形状に３Ｄ成形して足底を支え、圧力分散を行って快適度を高めるインソール構造を提供する。【解決手段】インソール構造は下表層２２、上表層２１及び複数の顆粒固体弾性体２８を備える。上表層２１は下表層２２と結合され、上表層２１及び下表層２２の縁部２１１がシール処理される。上表層２１と下表層２２との間には収容空間が形成される。収容空間は、複数の分離縁２６により前足部支持圧力分散領域２３、中足部支持圧力分散領域２４及び踵支持圧力分散領域２５に画成される。中足部支持圧力分散領域２４は、非アーチ支持圧力分散領域２４１及びアーチ支持圧力分散領域２４２を含む。分離縁２６には、少なくとも１つの流路２７が形成され、流路２７を介して前足部支持圧力分散領域２３、中足部支持圧力分散領域２４及び踵支持圧力分散領域２５が互いに連通し合う。【選択図】図５
2017012651.tif 000002
【特許請求の範囲】
【請求項１】
下表層、上表層及び複数の顆粒固体弾性体を備えたインソール構造であって、
前記上表層は前記下表層と結合され、前記上表層及び前記下表層の縁部がシール処理され、前記上表層と前記下表層との間には収容空間が形成され、前記収容空間は、複数の分離縁により前足部支持圧力分散領域、中足部支持圧力分散領域及び踵支持圧力分散領域に画成され、前記中足部支持圧力分散領域は、非アーチ支持圧力分散領域及びアーチ支持圧力分散領域を含み、前記分離縁には、少なくとも１つの流路が形成され、前記流路を介して前足部支持圧力分散領域、中足部支持圧力分散領域及び踵支持圧力分散領域が互いに連通し合い、
前記顆粒固体弾性体は、前記前足部支持圧力分散領域、前記中足部支持圧力分散領域、前記踵支持圧力分散領域内に積層収容されるとともに、前記流路を介して前記前足部支持圧力分散領域、前記中足部支持圧力分散領域又は前記踵支持圧力分散領域の出入りを行うことを特徴とする、
インソール構造。
【請求項２】
前記上表層及び前記下表層は、織布、織編物、弾性布、弾性布が結合したゴムスポンジ、織編物が結合したスポンジ、織布が結合したスポンジ又はこれらの組み合わせからなるもののうちの何れか１つからなることを特徴とする請求項１に記載のインソール構造。
【請求項３】
前記顆粒固体弾性体は、固体シリコーンゲル、固体ゲル、固体ＴＰＵ、２液型ＰＵ又はこれらの組み合わせからなるもののうちの何れか１つからなることを特徴とする請求項１に記載のインソール構造。
【請求項４】
前記顆粒固体弾性体のショア硬さは２０〜６０±２度であることを特徴とする請求項１に記載のインソール構造。
【請求項５】
前記顆粒固体弾性体の平均粒径は２〜５ｍｍであることを特徴とする請求項１に記載のインソール構造。
【請求項６】
前記分離縁は、縫着、熱溶融又は超音波により形成され、前記分離縁により、異なる前記支持圧力分散領域内の前記顆粒固体弾性体の出入りを防ぐことを特徴とする請求項１に記載のインソール構造。
【請求項７】
前記前足部支持圧力分散領域は、前記分離縁により第１の前足部支持圧力分散領域と第２の前足部支持圧力分散領域とに区分され、前記第１の前足部支持圧力分散領域は、足指に対応し、前記第２の前足部支持圧力分散領域は、前足部に対応し、前記分離縁には、流路が形成され、前記流路を介して前記第１の前足部支持圧力分散領域及び前記第２の前足部支持圧力分散領域内の前記顆粒固体弾性体の出入りが調整されることを特徴とする請求項１に記載のインソール構造。
【請求項８】
前記踵支持圧力分散領域は、前記分離縁により左支持圧力分散領域と右支持圧力分散領域とに区分され、前記左支持圧力分散領域は、左側踵に対応し、前記右支持圧力分散領域は、右側踵に対応し、前記分離縁には、流路が形成され、前記流路を介して前記左支持圧力分散領域及び前記右支持圧力分散領域内の前記顆粒固体弾性体の出入りが調整されることを特徴とする請求項１に記載のインソール構造。
【請求項９】
前記踵支持圧力分散領域は、前記分離縁により踵中心点支持圧力分散領域が画成され、前記踵中心点支持圧力分散領域は、踵の中心点に対応し、前記分離縁には、流路が形成され、前記流路を介して前記踵中心点支持圧力分散領域内の前記顆粒固体弾性体の出入りが調整されることを特徴とする請求項８に記載のインソール構造。
【請求項１０】
前記分離縁により画成された湧泉穴支持圧力分散領域をさらに備え、  前記湧泉穴支持圧力分散領域は、足底湧泉穴に対応し、前記分離縁には、流路が形成され、前記湧泉穴支持圧力分散領域の周囲には、少なくとも１つの分離縁及び少なくとも１つの流路がそれぞれ形成され、前記流路を介して前記湧泉穴支持圧力分散領域内の前記顆粒固体弾性体の出入りが調整されることを特徴とする請求項１に記載のインソール構造。
【発明の詳細な説明】
【技術分野】
【０００１】
本発明は、インソール構造に関し、特に、顆粒固体弾性体を足底に対応した形状に３Ｄ成形して足底を支え、圧力分散を行って快適度を高めるインソール構造に関する。
【背景技術】
【０００２】
偏平足、凹足など、土踏まず（即ちアーチ）に問題がある者は、平面状のインソールを使用した場合、傷害が大きくなるため、従来、このような問題点を解決するために、使用者の土踏まずに対応した形状に成形されたインソールが靴の製造メーカにより開発されている。
図１に示すように、先天的に土踏まず部分が平坦な使用者のために設計されたアーチ型インソール１は、底面１１の一側辺に傾斜したアーチ型インソール高部１２が成形されている。アーチ型インソール高部１２は、アーチ型インソール１の正面がアーチ型インソール１の底面１１へ向かうに従い内側に凹んで傾き、使用者の足がアーチ型インソール１を踏圧すると、アーチ型インソール高部１２などの適切な形状により土踏まず部位が支えられ、硬めのプラスチック又はアーチを支えることができる複合材料によりアーチ型インソール高部１２が製作されているため、支持力が不足してしまうことを防ぐことができる。前足部位置及び踵部位置にシート状弾性体１３が配設されるため、前足部及び踵部の圧力を分散させることができる。
【０００３】
しかし、上述したようなアーチ支持には、以下（１）〜（３）の欠点があった。
（１）アーチ支持のアーチ型インソール高部の大部分が一定の傾斜度を有するため、足底によりアーチ支持が踏圧されたときに、アーチ支持により足底面を支えても完全に支えることができず、材料が有する剛性により支持して使用者の足底のアーチ部分を支持しても、従来のインソールの場合、使用者の足底により長期間踏圧され続けると、快適度が低下して使用者の足底が怪我をする虞があった。
（２）このようなアーチ支持機能を有するインソールは、使用者が靴をはくと矯正効果が得られるが、各個人の足底形状がそれぞれ異なるため、一定規格により設計された使用者の足底形状に適用させることができず、全ての使用者の足底形状に適用させることができない。さらに、特殊な足底形状を有する使用者の場合、足底の矯正を行う専門家により判断してもらい、カスタムメードでインソールを製作しなければ全使用者の必要に応じたインソールを製造することはできなかった。しかし、このような製造は製造時間が長くなる上、製造コストも多くかかった。
（３）弾性体１３は平面状であり、位置が固定されて調整することができなかったため、人が歩いたり走ったりするときの姿勢がそれぞれ異なり、足底に力が加わる場所もそれぞれ異なるため、弾性体１３の位置が固定されて平面状になってしまうことがあり、圧力分散を部分的に行うだけでは、足底全体の振動吸収・圧力分散を行うことはできなかった。
【０００４】
また、従来のインソール内には、空気を流通させる流路が形成され、流路を介して空気を流通させ、人が歩いたり走ったりして押圧されると、インソール内の空気が圧縮され、流路を介して足底のその他の部位に至るまで送られて足底の局部を支えたりマッサージ効果を得るか、或いは流路を介してグリセリン（ｇｌｙｃｅｒｉｎ）液体が足底により押下されて流動されるインソールにより、様々な支持力を発生させて高い快適度及び減圧効果を得ることができた。
しかし、気体又は液体により足底の支持・圧力分散を行っても、依然として欠点があった。例えばインソールは、空気又は液体をインソール中へ密封させるために、通気性が無い材料により製作しなければならず、靴を長時間履いた場合、靴内の温度及び湿度が高くなり、足が病気にかかる虞がある上、インソールに僅かな破損が生じると、気体及び液体が外部へ漏れて効果が失われる虞もあった。また、空気及び液体は足底により圧力が加わると、空気及び液体が圧縮されて支持効果を得ることができるが、足底の特定部位を単独で安定的に支持することはできなかった。
【０００５】
そのため、従来のインソールでは、使用者全ての足底の形状に対応させることができない上、穴が開いてしまう欠点があった。そのため、複数の積層形成された顆粒固体弾性体を含み、使用者が顆粒固体弾性体を指で押圧して様々な支持圧力分散領域へ移動させると、顆粒固体弾性体の弾性及び粘着性により、成形された後でも、常時、顆粒間が互いに粘着されるため、ばらばらになって自由自在に流動する状態になることを防ぎ、もしインソールに穴が開いてしまっても、ばらばらに滑り出ることがなく、使用者が歩いたり走ったりするときに、自らの足底の踏圧により、顆粒固体弾性体が様々な足底形状に成形され、足底の３Ｄ（３次元空間）成形を安定的に支持する効果を得るとともに、顆粒固体弾性体が振動吸収・圧力分散の柔軟な特性を有するため、使用者の快適度を高め、圧迫感を感じることがないインソールが求められていた。
【発明の概要】
【発明が解決しようとする課題】
【０００６】
本発明の目的は、顆粒固体弾性体を足底に対応する形状に成形し、３Ｄ成形により支持し、圧力分散を行って快適度を高めるインソール構造を提供することにある。
【課題を解決するための手段】
【０００７】
上記課題を解決するための本発明の第１の形態によれば、下表層、上表層及び複数の顆粒固体弾性体を備えたインソール構造であって、前記上表層は前記下表層と結合され、前記上表層及び前記下表層の縁部がシール処理され、前記上表層と前記下表層との間には収容空間が形成され、前記収容空間は、複数の分離縁により前足部支持圧力分散領域、中足部支持圧力分散領域及び踵支持圧力分散領域に画成され、前記中足部支持圧力分散領域は、非アーチ支持圧力分散領域及びアーチ支持圧力分散領域を含み、前記分離縁には、少なくとも１つの流路が形成され、前記流路を介して前足部支持圧力分散領域、中足部支持圧力分散領域及び踵支持圧力分散領域が互いに連通し合い、前記顆粒固体弾性体は、前記前足部支持圧力分散領域、前記中足部支持圧力分散領域、前記踵支持圧力分散領域内に積層収容されるとともに、前記流路を介して前記前足部支持圧力分散領域、前記中足部支持圧力分散領域又は前記踵支持圧力分散領域の出入りを行うことを特徴とするインソール構造が提供される。
【０００８】
前記上表層及び前記下表層は、織布、織編物、弾性布、弾性布が結合したゴムスポンジ、織編物が結合したスポンジ、織布が結合したスポンジ又はこれらの組み合わせからなるもののうちの何れか１つからなることが好ましい。
【０００９】
前記顆粒固体弾性体は、固体シリコーンゲル、固体ゲル、固体ＴＰＵ、２液型ＰＵ又はこれらの組み合わせからなるもののうちの何れか１つからなることが好ましい。
【００１０】
前記顆粒固体弾性体のショア硬さは２０〜６０±２度であることが好ましい。
【００１１】
前記顆粒固体弾性体の平均粒径は２〜５ｍｍであることが好ましい。
【００１２】
前記分離縁は、縫着、熱溶融又は超音波により形成され、前記分離縁により、異なる前記支持圧力分散領域内の前記顆粒固体弾性体の出入りを防ぐことが好ましい。
【００１３】
前記前足部支持圧力分散領域は、前記分離縁により第１の前足部支持圧力分散領域と第２の前足部支持圧力分散領域とに区分され、前記第１の前足部支持圧力分散領域は、足指に対応し、前記第２の前足部支持圧力分散領域は、前足部に対応し、前記分離縁には、流路が形成され、前記流路を介して前記第１の前足部支持圧力分散領域及び前記第２の前足部支持圧力分散領域内の前記顆粒固体弾性体の出入りが調整されることが好ましい。
【００１４】
前記踵支持圧力分散領域は、前記分離縁により左支持圧力分散領域と右支持圧力分散領域とに区分され、前記左支持圧力分散領域は、左側踵に対応し、前記右支持圧力分散領域は、右側踵に対応し、前記分離縁には、流路が形成され、前記流路を介して前記左支持圧力分散領域及び前記右支持圧力分散領域内の前記顆粒固体弾性体の出入りが調整されることが好ましい。
【００１５】
前記踵支持圧力分散領域は、前記分離縁により踵中心点支持圧力分散領域が画成され、
前記踵中心点支持圧力分散領域は、踵の中心点に対応し、前記分離縁には、流路が形成され、前記流路を介して前記踵中心点支持圧力分散領域内の前記顆粒固体弾性体の出入りが調整されることが好ましい。
【００１６】
前記分離縁により画成された湧泉穴支持圧力分散領域をさらに備え、前記湧泉穴支持圧力分散領域は、足底湧泉穴に対応し、前記分離縁には、流路が形成され、前記湧泉穴支持圧力分散領域の周囲には、少なくとも１つの分離縁及び少なくとも１つの流路がそれぞれ形成され、前記流路を介して前記湧泉穴支持圧力分散領域内の前記顆粒固体弾性体の出入りが調整されることが好ましい。
【図面の簡単な説明】
【００１７】
【図１】従来のインソールの三次元構造を示す底面図である。
【図２】本発明の第１実施形態に係るインソール構造を示す斜視図である。
【図３】本発明の第１実施形態に係るインソール構造を示す側面図である。
【図４】本発明の第１実施形態に係るインソール構造の顆粒固体弾性体が各支持圧力分散領域へ満遍なく分散された状態の説明図である。
【図５】本発明の第１実施形態に係るインソール構造の内部顆粒固体弾性体の積層を示す斜視図である。
【図６】本発明の第１実施形態に係るインソール構造の顆粒固体弾性体を押送し、流路を介して移動させるときの状態の斜視図である。
【図７Ａ】本発明の第１実施形態に係るインソール構造が足指により踏圧されるときの状態の説明図である。
【図７Ｂ】本発明の第１実施形態に係るインソール構造が踵により踏圧されるときの状態の説明図である。
【図８】本発明の第２実施形態に係るインソール構造の説明図である。
【図９】本発明の第３実施形態に係るインソール構造の説明図である。
【図１０】本発明の第４実施形態に係るインソール構造の説明図である。
【図１１】本発明の第５実施形態に係るインソール構造の説明図である。
【図１２】本発明の第６実施形態に係るインソール構造の説明図である。
【図１３】本発明の一実施形態に係るインソール構造を靴体中へ載置したときの状態の説明図である。
【図１４】本発明の一実施形態に係るインソール構造をスリッパに結合したときの状態の説明図である。
【図１５】本発明の一実施形態に係るインソール構造を使用して成形したときの状態の説明図である。
【図１６】本発明の他の実施形態に係るインソール構造の説明図である。
【発明を実施するための形態】
【００１８】
以下、本発明の実施形態について図に基づいて説明する。なお、これによって本発明が限定されるものではない。
【００１９】
（第１実施形態）
図２及び図３を参照する。図２は、本発明の第１実施形態に係るインソール構造を示す斜視図である。図３は、本発明の第１実施形態に係るインソール構造を示す側面図である。
図２及び図３に示すように、インソール構造２は、上表層２１と下表層２２との組み合わせにより構成される。上表層２１の縁部２１１及び下表層２２の縁部２２１にシール処理を施し、上表層２１と下表層２２との間に収容空間が形成される。シール手段は、縫着、熱溶融又は超音波でもよい。収容空間は、複数の分離縁２６により、前足部支持圧力分散領域２３、中足部支持圧力分散領域２４及び踵支持圧力分散領域２５に画成される。中足部支持圧力分散領域２４は、分離縁２６により非アーチ支持圧力分散領域２４１とアーチ支持圧力分散領域２４２とに区分される。分離縁２６は、上表層２１と下表層２２との間を縫着、熱溶融又は超音波の技術的手段により形成し、前足部支持圧力分散領域２３、非アーチ支持圧力分散領域２４１、アーチ支持圧力分散領域２４２及び踵支持圧力分散領域２５にそれぞれ独立した空間が形成される。分離縁２６には、少なくとも１つの流路２７が形成され、流路２７を介して前足部支持圧力分散領域２３、中足部支持圧力分散領域２４及び踵支持圧力分散領域２５間が互いに連通する。図２に示すように、中足部支持圧力分散領域２４の非アーチ支持圧力分散領域２４１及びアーチ支持圧力分散領域２４２の分離縁２６には、流路２７は形成されておらず、非アーチ支持圧力分散領域２４１とアーチ支持圧力分散領域２４２との間は連通していない。
【００２０】
図８を参照する。図８に示すように、中足部支持圧力分散領域２４の非アーチ支持圧力分散領域２４１とアーチ支持圧力分散領域２４２の分離縁２６には、必要に応じて流路２７が形成され、流路２７により非アーチ支持圧力分散領域２４１とアーチ支持圧力分散領域２４２との間が流通する。
【００２１】
上表層２１と下表層２２とは同じ材料又は異なる材料からなってもよい。上表層２１及び下表層２２は、快適度が高くて弾性を有する織布など（例えば、織編物、弾性布、織布が結合したゴムスポンジ又は織布が結合したスポンジなど）により製作してもよい。下表層２２は、必要に応じて硬めの材料により製作し、インソールの支持力を高めてもよい。上表層２１及び下表層２２には、活性炭を加えて消臭効果を得たり、発熱特性の織布材料により製作して保温効果を得たりしてもよい。
【００２２】
図４及び図５に示すように、上表層２１及び下表層２２が区分されて形成された前足部支持圧力分散領域２３、中足部支持圧力分散領域２４及び踵支持圧力分散領域２５内には、複数の顆粒固体弾性体２８が積層されて収容されている。顆粒固体弾性体２８は粘着性を備えるため、積層された複数の顆粒固体弾性体２８が足底により踏圧されると自動的に３Ｄ（３次元空間）に成形され、足底全体を支持する支持構造が自動的に成形される。
顆粒固体弾性体２８は、成形過程で分割境界を介して異なる支持圧力分散領域中に進入することはなく、分離縁２６の流路２７を介し、指を使って前足部支持圧力分散領域２３、中足部支持圧力分散領域２４又は踵支持圧力分散領域２５へ顆粒固体弾性体２８を出入りさせることができる。そのため、顆粒固体弾性体２８は、その粘着性により大きめの体積に形成されるため、指で押圧して流路２７を通さなければ、自在に流路を通ることはない。そのため、流路２７の寸法を単一の顆粒固体弾性体２８の粒径より大きくしなければ、顆粒固体弾性体２８を指で押圧して隣接した支持圧力分散領域へ移動させることはできない。
【００２３】
顆粒固体弾性体２８は、固体状であり、規則形状（例えば柱形、球形、楕円形など）又は不規則形状（例えば、多辺形、台形その他幾何学的形状）の形状を有してもよいが、規則形状又は不規則形状であっても顆粒固体弾性体の平均粒径は２〜５ｍｍである。
【００２４】
顆粒固体弾性体２８のショア硬さ（Ｓｈｏｒｅ  Ａ）は２０〜６０±２度（そのショア硬さは、２０±２度、２２±２度、２４±２度、２６±２度、２８±２度、３０±２度、３２±２度、３４±２度、３６±２度、３８±２度、４０±２度、４２±２度、４４±２度、４６±２度、４８±２度、５０±２度、５２±２度、５４±２度、５６±２度、５８±２度又は６０±２度でもよい）である。
【００２５】
本発明の顆粒固体弾性体（ｇｒａｎｕｌｅｓ  ｓｏｌｉｄ  ｅｌａｓｔｏｍｅｒ）２８は、顆粒発泡弾性体（ｆｏａｍ  ｅｌａｓｔｏｍｅｒ）でもないし、穀物顆粒（例えば、籾殻、緑豆、小豆など）でもない。本発明の顆粒固体弾性体２８は、固体シリコーンゲル、固体ゲル、ＴＰＵ又は２液型ＰＵにより固定弾性体材料など柔軟性及び弾性を備えた低反発材料により製作され、顆粒発泡弾性体（ｆｏａｍ  ｅｌａｓｔｏｍｅｒ）又は穀物顆粒の特性と異なる。ゲルは、圧力伝導率及び襲撃吸収率が非常に高い高分子化合物でもよいし、高分子共重合体でもよく、ＳＥＢＳ（ｈｙｄｒｏｇｅｎａｔｅｄ  ｓｔｙｒｅｎｅ−ｂｕｔａｄｉｅｎｅ−ｓｔｙｒｅｎｅ  ｂｌｏｃｋ  ｃｏｐｏｌｙｍｅｒ）など、熱可塑性粒子からなってもよく、２液型のＰＵ高分子を異なる比率で混合してもよく、常温下で注入してシート状に形成して柔軟性を有する固体状弾性体にしてから顆粒状に形成してもよい。また、その硬度は、配合割合を調整し、低反発性及び圧力分散性を備えているため、特に、柔軟性が高いインソールの製作に適用することができる。
【００２６】
ＴＰＵとは、可塑剤を含まないエコ材料であり、プラスチック・ラバー間の高分子弾性体であり、従来のプラスチック・ラバー材料のなかでも物性耐衝撃性、耐折れ性、高伸び性、高引き裂き強度、耐低温性などの特性を備える。
【００２７】
複数の分離縁２６には、前足部支持圧力分散領域２３、中足部支持圧力分散領域２４、踵支持圧力分散領域２５を互いに連通させる流路２７が形成されている。図６に示すように、使用者が前足部支持圧力分散領域２３、中足部支持圧力分散領域２４及び踵支持圧力分散領域２５内の顆粒固体弾性体２８を指３で押圧すると、前足部支持圧力分散領域２３、中足部支持圧力分散領域２４及び踵支持圧力分散領域２５間で顆粒固体弾性体２８が移動し、支持圧力分散領域内に積層する顆粒固体弾性体２８は、使用者の必要に応じて収納する数及び形状を調整する。使用者は自身の足底の形状に応じて支持圧力分散領域内に積層された顆粒固体弾性体２８の圧力を受ける場所の高さを調整し、使用者の足底全体で調整後の各支持圧力分散領域が踏圧されると、顆粒固体弾性体２８間が互いに粘着されて間隙が形成され、顆粒固体弾性体２８が自由に流動しなくなり、足底全体からの圧力を複数の顆粒固体弾性体が受けると変形し、その変形空間は互いに粘着した間隙であり、繰り返して圧力を受けると変形し、一定期間使用し続けると、使用者の足底全体の形状に成形される。
【００２８】
図５に示すように、人体のアーチ部分のアーチ支持圧力分散領域２４２内の顆粒固体弾性体２８は数が最多であり高さが一番大きく、数が少ないと感じたり高さが大きすぎると使用者が感じる場合、自ら調整して分離縁２６の流路２７を介して指で顆粒固体弾性体２８を押圧してアーチ支持圧力分散領域２４２に出入りさせ、自らの足底のアーチ形状及び押点部に対応させる。これは従来のインソールでは達成できなかったことであり、本発明の実施形態では顆粒固体弾性体２８を指で押圧しているが、これは特許請求の範囲を限定するものではなく、その他ハンドツールを用いて押圧する方式も本案の特許請求の範囲中に含まれる。
【００２９】
図７Ａ及び図７Ｂは、使用者の足底４全体によりインソール構造２が踏圧され、足底４の前端位置（足指位置４１）及び後端位置（踵位置４２）の顆粒固体弾性体２８が圧力を受ける状態を示す説明図である。
図７Ａ及び図７Ｂに示すように、前端位置及び後端位置の顆粒固体弾性体２８の積層高さが異なる上、上表層２１の表面が変形している状況から見て、各位置が受ける圧力はそれぞれ異なっていることが分かる。そのため、上表層２１の表面の受圧面の凹み度もそれぞれ異なる。そのため、使用者自ら顆粒固体弾性体２８の積層高さを調整する上、図１５に示すように、足底４により踏圧されると、顆粒固体弾性体２８は、使用者の足指位置４１及び踵位置４２により力が加えられ、互いに粘着されて形成された間隙を成形し、使用者の足指位置４１及び踵位置４２に対応した形状が成形され、踏圧を受ける位置で、足指位置４１及び踵位置４２を支持し、振動吸収・圧力分散を適時行うことができる。
【００３０】
（第２実施形態）
図８を参照する。図８は、インソールの各支持圧力分散領域と人体の足底部位との対応図である。足底４は、前足部４３、踵４２、アーチ部４４及びアーチ側部４５に区分される。前足部４３は、足親指４１１、第２指４１２、第３指４１３、第４指４１４及び第５指４１５を含む足指４１を有する。
本発明の前足部支持圧力分散領域２３は、前足部４３に対応する。非アーチ支持圧力分散領域２４１は、アーチ側部４５に対応する。アーチ支持圧力分散領域２４２は、アーチ部４４に対応する。踵支持圧力分散領域２５は、踵位置４２に対応する。前足部支持圧力分散領域２３、非アーチ支持圧力分散領域２４１、アーチ支持圧力分散領域２４２、踵支持圧力分散領域２５の間には、分離縁２６及び流路２７が形成され、前足部支持圧力分散領域２３、非アーチ支持圧力分散領域２４１、アーチ支持圧力分散領域２４２及び踵支持圧力分散領域２５がそれぞれ独立し、単独で支持効果を得て、流路２７を介して前足部支持圧力分散領域２３、非アーチ支持圧力分散領域２４１、アーチ支持圧力分散領域２４２及び踵支持圧力分散領域２５内に充填される顆粒固体弾性体２８は、指で押圧して流路を出入りさせ、自身の足底により力が加わる位置に応じて前足部支持圧力分散領域２３、非アーチ支持圧力分散領域２４１、アーチ支持圧力分散領域２４２及び踵支持圧力分散領域２５内の顆粒固体弾性体２８の数、高さ及び形状を自ら調整することができる。
【００３１】
（第３実施形態）
図９を参照する。図９に示すように、本発明の第３実施形態に係るインソール構造は、図８と異なり、分離縁２６により湧泉穴支持圧力分散領域２９が画成される。湧泉穴支持圧力分散領域２９は、足底４の湧泉穴４６に対応し、湧泉穴支持圧力分散領域２９を画成する分離縁２６には、湧泉穴４６の振動吸収・圧力分散を行う少なくとも１つの流路２７が形成され、歩いたり走ったりする際に力が加わる点に応じて湧泉穴支持圧力分散領域２９内の顆粒固体弾性体２８の数、高さ及び形状を調整することができるが、その他の構造は図８と同じであるため、ここでは繰り返して述べない。
【００３２】
（第４実施形態）
図１０を参照する。図１０に示すように、本発明の第４実施形態に係るインソール構造は、図９と異なり、前足部支持圧力分散領域２３が第１の前足部支持圧力分散領域２３１と第２の前足部支持圧力分散領域２３２とに区分される（第１の前足部支持圧力分散領域２３１と第２の前足部支持圧力分散領域２３２との間には少なくとも１つの分離縁２６及び少なくとも１つの流路２７が設けられている）。
第１の前足部支持圧力分散領域２３１は、足指４１に対応する。第２の前足部支持圧力分散領域２３２は、前足部４３に対応する。また、踵支持圧力分散領域２５は、左支持圧力分散領域２５１と右支持圧力分散領域２５２とに区分される（左支持圧力分散領域２５１と右支持圧力分散領域２５２との間には、少なくとも１つの分離縁２６及び少なくとも１つの流路２７が形成される）。左支持圧力分散領域２５１及び右支持圧力分散領域２５２は、踵位置４２の右側踵４２１及び左側踵４２２にそれぞれ対応し、第１の前足部支持圧力分散領域２３１、第２の前足部支持圧力分散領域２３２及び左支持圧力分散領域２５１及び右支持圧力分散領域２５２を互いに離間されるように配置し、歩いたり走ったりした際、足底の足指、前足部、右足踵又は左足踵に力が加わる場所は異なるため、第１の前足部支持圧力分散領域２３１、第２の前足部支持圧力分散領域２３２及び左支持圧力分散領域２５１及び右支持圧力分散領域２５２の顆粒固体弾性体２８の数、高さ及び形状を調整し、足底の足指、前足部、右足踵又は左足踵の振動吸収・圧力分散を行うが、その他の構造は図９と同じであるため、ここでは繰り返して述べない。
【００３３】
（第５実施形態）
図１１を参照する。図１１に示すように、本発明の第５実施形態に係るインソール構造は、図１０と異なり踵支持圧力分散領域２５内に、踵中心点支持圧力分散領域２５３が設けられる。踵中心点支持圧力分散領域２５３の周囲には、少なくとも１つの分離縁２６及び少なくとも１つの流路２７が形成され、踵中心点支持圧力分散領域２５３は、踵４２の中心点４２３に対応し、中心点４２３で振動吸収・圧力分散を行い、歩いたり走ったりする際に力が加わる箇所に応じて踵中心点支持圧力分散領域２５３内の顆粒固体弾性体２８の数、高さ及び形状を調整するが、その他の構造は図１０と同じであるため、ここでは繰り返して述べない。
【００３４】
（第６実施形態）
図１２を参照する。図１２に示すように、本発明の第６実施形態に係るインソール構造は、図９と異なり湧泉穴支持圧力分散領域２９を含まない。前足部支持圧力分散領域２３は、親指支持圧力分散領域２３３、４指支持圧力分散領域２３４及び楔状骨支持圧力分散領域２３５に区分される。親指支持圧力分散領域２３３は、足親指４１１に対応する。４指支持圧力分散領域２３４は、第２指４１２、第３指４１３、第４指４１４及び第５指４１５に対応する。楔状骨支持圧力分散領域２３５は、足底４の楔状骨４７に対応する。また、親指支持圧力分散領域２３３の周囲、４指支持圧力分散領域２３４の周囲及び楔状骨支持圧力分散領域２３５の周囲には、少なくとも１つの分離縁２６及び少なくとも１つの流路２７がそれぞれ形成され、足親指４１１、４つの指４１２〜４１５及び楔状骨４７の振動吸収・圧力分散を単独で行い、歩いたり走ったりする際に力が加わる点に応じ、親指支持圧力分散領域２３３、４指支持圧力分散領域２３４及び楔状骨支持圧力分散領域２３５内の顆粒固体弾性体２８の数、高さ及び形状を調整することができるが、その他の構造は図９と同じであるため、ここでは繰り返して述べない。
【００３５】
図１３を参照する。図１３に示すように、インソール構造２を靴体６内に載置し、インソールとして使用することができる上、その他の靴類にも応用することもできる。また、例えば、図１４に示すように、インソール構造２と足甲覆帯（ｓｔｒａｐ）５とを結合し、サンダル又はスリッパとして使用してもよい。
【００３６】
図２、図３、図１３、図１４及び図１５に示すように、本発明のインソールが使用されていない状態にあるとき、インソールの上表層２１は成形されておらず（図２を参照する）、図３に示すように、インソール構造２の頂面と底面との間の厚さは略同じである。しかし、図１３、図１４及び図１５に示すように、インソール構造２を靴体６内へ載置してサンダル、スリッパ又は靴底として使用する場合、足底全体により上表層２１に力が加わると、足底全体により押圧されて底面の厚さが小さくなって略平面状に形成され、複数の顆粒固体弾性体２８の頂面から突出する（図１３を参照）。すると、複数の顆粒固体弾性体２８が小さめの顆粒状に形成されて弾性及び粘着性を有するため、互いに粘着し合い、常時、砂粒のようにばらばらになって自由に滑り落ちることがない。また、互いに粘着される顆粒固体弾性体２８は面で粘着されるのではなく、点で粘着されるため依然として間隙が形成され、使用者それぞれの体重が異なるため、異なる力が顆粒固体弾性体２８に加わり、複数の顆粒固体弾性体２８が互いに異なる間隙により形成され、一定期間使用されると、上表層２１の表面が使用者の足底に対応した形状に成形され、顆粒固体弾性体２８が成形された後に互いに粘着され、成形後の顆粒固体弾性体２８は未使用状態に回復せず、３Ｄ成形により支持して圧力分散されるため快適度を高めることができる。
このように、本発明は使用者が歩いたり走ったりする過程で、足底により押圧される力により形状が形成される。力が最も加わる位置は、多めの顆粒固体弾性体２８により支えられ、歩いている過程で顆粒固体弾性体２８の高さが次第に修正され、上表層２１の表面を顆粒固体弾性体２８により成形して足底部位を密着させ、インソール構造２の底面を成形した後、略平面状に形成されるため、使用者の足底全体が安定的に支えられて空中に浮いているような感覚を覚えることはない。
【００３７】
図１６を参照する。図１６に示すように、インソール構造２から前足部支持圧力分散領域２３を省略し、非アーチ支持圧力分散領域２４１及びアーチ支持圧力分散領域２４２を含む中足部支持圧力分散領域２４と、踵支持圧力分散領域２５とを残してもよい。このようなインソール構造は、主に中足部及び踵部に用い、その他の構造は図２と同じであるため、ここでは繰り返して述べない。
【００３８】
上述したことから分かるように、本発明のインソール構造は、従来技術と比べ、（１）〜（４）の長所を有する。
（１）インソールは複数の支持圧力分散領域に区分され、各支持圧力分散領域は、足底全体の各位置にそれぞれ対応し、各支持圧力分散領域内には、異なる数、高さ及び形状の顆粒固体弾性体が充填されるとともに、各支持圧力分散領域間には分離縁と、各支持圧力分散領域間を互いに連通する流路とが形成され、異なる領域内の顆粒固体弾性体を使用者の指で押圧し、流路を介して各支持圧力分散領域内の顆粒固体弾性体の出入りを調整し、各支持圧力分散領域がそれぞれ独立して支持されて振動吸収・圧力分散を行うため、従来の空気インソール及び液体インソールではできなかった調整を行うことができる。
（２）歩いたり走ったりする際に、各使用者の足底に加わる力が異なるため、顆粒固体弾性体が互いに粘着されて間隙が形成され、使用者が歩いたり走ったりする過程で、顆粒固体弾性体が間隙（変形空間）を介して足底により加えられる力により成形され、足底に力が加わる箇所を正確に支持して振動吸収・圧力分散を行い、３Ｄ（３次元空間）成形で支持し、圧力分散を行って快適度を高める。
（３）本発明は、各使用者の足底全体の形状に応じ、まず、顆粒固体弾性体を押動して異なる領域へ移動させ、異なる領域の高さを調整して足底を支持するため、本発明は如何なる使用者にも適用させることができる。
（４）３Ｄ成形により支持し、足底に対応した形状に成形し、積層された複数の顆粒固体弾性体により圧力を均等に分散させるため、足底の血液循環が高まり、積層された複数の顆粒固体弾性体が押下された後、積層された複数の顆粒固体弾性体が足底により圧が加わると変形して微調整されてインソールが剛性支持される点が従来技術と大きく異なる。
【００３９】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００４０】
１      アーチ型インソール
２      インソール構造
３      指
４      足底
５      足甲覆帯
６      靴体
１１    底面
１２    アーチ型インソール高部
１３    弾性体
２１    上表層
２２    下表層
２３    前足部支持圧力分散領域
２４    中足部支持圧力分散領域
２５    踵支持圧力分散領域
２６    分離縁
２７    流路
２８    顆粒固体弾性体
２９    湧泉穴支持圧力分散領域
４１    足指位置（足指）
４２    踵位置（踵）
４３    前足部
４４    アーチ部
４５    アーチ側部
４６    湧泉穴
４７    楔状骨
２１１  縁部
２２１  縁部
２３１  第１の前足部支持圧力分散領域
２３２  第２の前足部支持圧力分散領域
２３３  親指支持圧力分散領域
２３４  ４指支持圧力分散領域
２３５  楔状骨支持圧力分散領域
２４１  非アーチ支持圧力分散領域
２４２  アーチ支持圧力分散領域
２５１  左支持圧力分散領域
２５２  右支持圧力分散領域
２５３  踵中心点支持圧力分散領域
４１１  足親指
４１２  第２指
４１３  第３指
４１４  第４指
４１５  第５指
４２１  右側踵
４２２  左側踵
４２３  中心点
【図１】
2017012651.tif 000003
【図２】
2017012651.tif 000004
【図３】
2017012651.tif 000005
【図４】
2017012651.tif 000006
【図５】
2017012651.tif 000007
【図６】
2017012651.tif 000008
【図７Ａ】
2017012651.tif 000009
【図７Ｂ】
2017012651.tif 000010
【図８】
2017012651.tif 000011
【図９】
2017012651.tif 000012
【図１０】
2017012651.tif 000013
【図１１】
2017012651.tif 000014
【図１２】
2017012651.tif 000015
【図１３】
2017012651.tif 000016
【図１４】
2017012651.tif 000017
【図１５】
2017012651.tif 000018
【図１６】
2017012651.tif 000019
【手続補正書】
【提出日】平成28年11月8日(2016.11.8)
【手続補正１】
【補正対象書類名】特許請求の範囲
【補正対象項目名】全文
【補正方法】変更
【補正の内容】
【特許請求の範囲】
【請求項１】
下表層、上表層及び複数の顆粒固体弾性体を備えたインソール構造であって、
前記上表層は前記下表層と結合され、前記上表層及び前記下表層の縁部がシール処理され、前記上表層と前記下表層との間には収容空間が形成され、前記収容空間は、複数の分離縁により前足部支持圧力分散領域、中足部支持圧力分散領域及び踵支持圧力分散領域に画成され、前記中足部支持圧力分散領域は、非アーチ支持圧力分散領域及びアーチ支持圧力分散領域を含み、前記分離縁には、少なくとも１つの流路が形成され、前記流路を介して前足部支持圧力分散領域、中足部支持圧力分散領域及び踵支持圧力分散領域が互いに連通し合い、
前記顆粒固体弾性体は、
前記前足部支持圧力分散領域、前記中足部支持圧力分散領域、前記踵支持圧力分散領域内に積層収容されるとともに、前記流路を介して前記前足部支持圧力分散領域、前記中足部支持圧力分散領域又は前記踵支持圧力分散領域の出入りが可能であって、指またはハンドツールによる押圧によって各支持圧力分散領域内への収納数及び形状を調整することができ、
使用者の足底全体で調整後の各支持圧力分散領域が踏圧されると、前記顆粒固体弾性体が互いに粘着して自由流動が無くなり、前記顆粒固体弾性体が変形して使用者の足底全体の形状に成形されることを特徴とする、
インソール構造。
【請求項２】
前記上表層及び前記下表層は、織布、織編物、弾性布、弾性布が結合したゴムスポンジ、織編物が結合したスポンジ、織布が結合したスポンジ又はこれらの組み合わせからなるもののうちの何れか１つからなることを特徴とする請求項１に記載のインソール構造。
【請求項３】
前記顆粒固体弾性体は、固体シリコーンゲル、固体ゲル、固体ＴＰＵ、２液型ＰＵ又はこれらの組み合わせからなるもののうちの何れか１つからなることを特徴とする請求項１に記載のインソール構造。
【請求項４】
前記顆粒固体弾性体のショア硬さは２０〜６０±２度であることを特徴とする請求項１に記載のインソール構造。
【請求項５】
前記顆粒固体弾性体の平均粒径は２〜５ｍｍであることを特徴とする請求項１に記載のインソール構造。
【請求項６】
前記分離縁は、縫着、熱溶融又は超音波により形成され、前記分離縁により、異なる前記支持圧力分散領域内の前記顆粒固体弾性体の出入りを防ぐことを特徴とする請求項１に記載のインソール構造。
【請求項７】
前記前足部支持圧力分散領域は、前記分離縁により第１の前足部支持圧力分散領域と第２の前足部支持圧力分散領域とに区分され、前記第１の前足部支持圧力分散領域は、足指に対応し、前記第２の前足部支持圧力分散領域は、前足部に対応し、前記分離縁には、流路が形成され、前記流路を介して前記第１の前足部支持圧力分散領域及び前記第２の前足部支持圧力分散領域内の前記顆粒固体弾性体の出入りが調整されることを特徴とする請求項１に記載のインソール構造。
【請求項８】
前記踵支持圧力分散領域は、前記分離縁により左支持圧力分散領域と右支持圧力分散領域とに区分され、前記左支持圧力分散領域は、左側踵に対応し、前記右支持圧力分散領域は、右側踵に対応し、前記分離縁には、流路が形成され、前記流路を介して前記左支持圧力分散領域及び前記右支持圧力分散領域内の前記顆粒固体弾性体の出入りが調整されることを特徴とする請求項１に記載のインソール構造。
【請求項９】
前記踵支持圧力分散領域は、前記分離縁により踵中心点支持圧力分散領域が画成され、前記踵中心点支持圧力分散領域は、踵の中心点に対応し、前記分離縁には、流路が形成され、前記流路を介して前記踵中心点支持圧力分散領域内の前記顆粒固体弾性体の出入りが調整されることを特徴とする請求項８に記載のインソール構造。
【請求項１０】
前記分離縁により画成された湧泉穴支持圧力分散領域をさらに備え、  前記湧泉穴支持圧力分散領域は、足底湧泉穴に対応し、前記分離縁には、流路が形成され、前記湧泉穴支持圧力分散領域の周囲には、少なくとも１つの分離縁及び少なくとも１つの流路がそれぞれ形成され、前記流路を介して前記湧泉穴支持圧力分散領域内の前記顆粒固体弾性体の出入りが調整されることを特徴とする請求項１に記載のインソール構造。